(57)【特許請求の範囲】
【請求項１】
被処理水の入口部と処理水の出口部を形成した頭部及び下方部が容器本体の上端開口部内に嵌合し得る首部を有するキャップと、カートリッジフィルターを収納する容器本体と、キャップと容器本体を接続するための筒型ナットと、キャップと容器本体をシールするＯリングとを有してなるカートリッジフィルターハウジングにおいて、キャップと容器本体のシール部が、キャップの首部外周面に凹設した環状凹溝内に挿着する第１のＯリングと、キャップの首部下端縁に形成した斜面部と、容器本体の内側に形成した水平状の段部及び垂直壁とによって形成される断面略三角形状の隔室内に挿着する第２のＯリングによって構成されていることを特徴とするカートリッジフィルターハウジング。
【発明の詳細な説明】
【０００１】
【発明の属する技術分野】
本発明は工業用水や水道水等の粗濾過フィルターや、純水あるいは超純水中に僅かに混在している微粒子の濾過フィルター、薬品中の微粒子濾過フィルター等のカートリッジフィルターハウジングにおけるシール構造に関するものである。
【０００２】
【従来の技術】
残留塩素除去、有機物除去、濁質成分等微粒子除去、細菌除去等の目的で水を使用する様々な分野でカートリッジフィルターが用いられている。
図３は従来のカートリッジ式濾過器の構造の一例を示す縦断面図であり、図中２０は被処理水の入口部２１及び処理水の出口部２２を形成したキャップ、２３はカートリッジフィルター２４を着脱自在に収納する容器本体、２５は前記キャップ２０と容器本体２３を接続するための筒型ナット、２６はキャップ２０と容器本体２３をシールするＯリングをそれぞれ示す。
【０００３】
キャップ２０はその首部２７の外周面に雄ねじ２８を形成してあって、この雄ねじ２８に筒型ナット２５の上部内周面に形成した雌ねじが螺着されるようになっており、筒型ナット２５の雌ねじが雄ねじ２８に螺着され上方に移動するに伴って、筒型ナット２５の下端環状折曲部２９が容器本体２３の上部に形成してある段部３０に当接し、容器本体２３の全体を上方に押し上げてキャップ２０と密に嵌合できる構造となっている。
【０００４】
このように、筒型ナット２５をキャップ２０にねじ付けることによってキャップ２０と容器本体２３の接続が図られる構造となっているが、キャップ２０と容器本体２３の接続部から液漏れが生ずるのを防止するため、キャップ２０の首部２７の外周面に環状をなすようにして２つの凹溝を凹設し、この凹溝内にＯリング２６，２６を挿着して両者をシールするようにしている。
【０００５】
【発明が解決しようとする課題】
前記したように、従来はキャップ２０と容器本体２３の接続部から液漏れするのを防ぐため、キャップ２０の首部２７に環状をなすように２つの凹溝を凹設し、この凹溝内にそれぞれＯリング２６，２６を挿着するダブルＯリングを採用している。
【０００６】
しかしながら、ダブルＯリングといっても、従来は２つのＯリングをキャップと容器本体における接続部の同一の面上に並設したものに過ぎず、Ｏリングの圧縮方向も常に同一となるため、容器本体２３内の圧力が上昇したようなとき液漏れを生ずるというおそれがあった。
【０００７】
そこで本発明は、キャップと容器本体の従来のシール構造の不具合を解消し、２個のＯリングをそれぞれ異なった面上、すなわち、ダブルＯリングのうちの１個を、キャップの下端縁に形成した斜面部と容器本体の内側に形成した段部及び垂直壁とによって形成される断面が略三角形状の隔室内に挿着することによって、接続部からの液漏れを完全に防止できるようになしたカートリッジフィルターハウジングにおけるシール構造を提供することを目的とするものである。
【０００８】
【課題を解決するための手段】
上記目的を達成するための本発明の構成を詳述すれば、被処理水の入口部と処理水の出口部を形成した頭部及び下方部が容器本体の上端開口部内に嵌合し得る首部を有するキャップと、カートリッジフィルターを収納する容器本体と、キャップと容器本体を接続するための筒型ナットと、キャップと容器本体をシールするＯリングとを有してなるカートリッジフィルターハウジングにおいて、キャップと容器本体のシール部が、キャップの首部外周面に凹設した環状凹溝内に挿着する第１のＯリングと、キャップの首部下端縁に形成した斜面部と、容器本体の内側に形成した水平状の段部及び垂直壁とによって形成される断面略三角形状の隔室内に挿着する第２のＯリングによって構成されていることを特徴とするカートリッジフィルターハウジングである。
【０００９】
上記したように、第２のＯリングはキャップの首部下端縁に設けた斜面部と、容器本体の内側に設けた段部及び垂直壁とによって形成される断面略三角形状の隔室内で三方向から圧縮され、第１のＯリングとは異なった面上においてシールが図られることによって、キャップと容器本体の接続部からの液漏れを完璧に防止することができ、高信頼性のカートリッジフィルターハウジングを提供することができるものである。
【００１０】
【発明の実施の形態】
以下、本発明カートリッジフィルターハウジングにおけるシール構造の具体的構成を図示の実施例に基づき詳細に説明する。
図１は本発明カートリッジフィルターハウジングにおけるシール構造の一実施例を示す縦断面図、図２はキャップと容器本体のシール部の詳細図である。
【００１１】
図中１はキャップ、２は容器本体、３はこの容器本体２の内部に交換可能に収納されるカートリッジフィルター、４はキャップ１と容器本体２を接続するための筒型ナットである。
【００１２】
先ず、キャップ１は頭部５と首部６を含んでおり、頭部５には被処理水の入口部７と処理水の出口部８を設けてある。また、首部６の上部外周面には雄ねじ９を形成してあって、この雄ねじ９に筒型ナット４の上部内周面に形成した雌ねじが螺着されるようになっている。なお、首部６の下方部は、大径状となっている容器本体２の上端開口部内に嵌合し得るよう上方部より僅かに薄肉状となっている。
【００１３】
筒型ナット４の下端部は内側に折曲げられていて、キャップ１の前記雄ねじ９に螺着されていくと、当該下端環状折曲部１０が容器本体２の上部に形成してある段部１１の下面に当接し、容器本体２の全体を上方に押し上げてキャップ１と密に嵌合できる構造となっている。
【００１４】
なお、被処理水はキャップ１の頭部５に設けてある入口部７を通じて容器本体２内に入り、カートリッジフィルター３を通過するときに、濁質成分等が除去され、処理水はカートリッジフィルター３の中心部よりキャップ１の出口部８を介して各用途先に送られる。
【００１５】
このようなカートリッジフィルターハウジングにおけるシール構造として、本発明では、キャップ１の首部６の外周面に凹設した凹溝１２内に第１のＯリング１３を挿着すると共に、キャップ１の首部６下端縁に形成した斜面部１４と、容器本体２の内側に設けた水平状の段部１５及び垂直壁１６とによって形成される断面略三角形状の隔室１７内に第２のＯリング１８を挿着するようにしたものである。
【００１６】
前記したように、筒型ナット４をキャップ１の前記雄ねじ９に螺着していくと、筒型ナット４の下端環状折曲部１０が容器本体２の段部１１の下面に当接し、容器本体２の全体が上方に押し上げられてキャップ１と密に嵌合するが、その際、図２に示すように、第１のＯリング１３はキャップ１の首部外周面に凹設した環状凹溝１２内において、当該凹溝１２に対向する容器本体２の内周面に圧着されてシール効果を発揮すると共に、第２のＯリング１８は断面略三角形状の隔室１７内で、キャップ１の下端縁に形成してある斜面部１４によって斜め方向から圧着され、且つ容器本体２の内側の水平状段部１５及び垂直壁１６が交わるコーナー部に圧着され、結局三方向からの圧縮力を受けてキャップ１と容器本体２の接続部からの液漏れを完全に防止することができるものである。
【００１７】
前記したように、従来のダブルＯリングはキャップの首部外周面に並設した２本の環状凹溝内にそれぞれＯリングを挿着した同一面上でのシール構造に過ぎなかったが、本発明においては、第１のＯリング１３は、従来と同様に凹溝１２に対向する容器本体２の内周面に圧着されるものの、第２のＯリング１８は、隔室１７内で第１のＯリング１３とは異なった方向からの圧縮力を受け、両者の相乗作用によって一層のシール効果が得られるのである。
【００１８】
【発明の効果】
上記したとおり、本発明によった場合、キャップと容器本体のシール部が、従来のダブルＯリングの構造と異なり、同一の面上ではなく、キャップと容器本体のそれぞれ異なった面上においてシールする構造となっているので、キャップと容器本体の接続部からの液漏れを完璧に防止することができ高信頼性のカートリッジフィルターハウジングを提供することができる。特に、第２のＯリングをキャップの下端縁に形成した斜面部と容器本体の内側に設けた水平状段部及び垂直壁によって形成される断面略三角形状の隔室内に挿着するようにしたものであるから、第１のＯリングとの相乗作用によって従来より格段に優れたシール効果を発揮するものである。
【図面の簡単な説明】
【図１】本発明に係るカートリッジフィルターハウジングにおけるシール構造の一実施例を示す縦断面図である。
【図２】キャップと容器本体のシール部の詳細図である。
【図３】従来のカートリッジフィルターハウジング構造の一例を示す縦断面図である。
【符号の説明】
１：キャップ                      ２：容器本体
３：カートリッジフィルター        ４：筒型ナット
５：頭部                          ６：首部
７：入口部                        ８：出口部
９：雄ねじ                      １０：下端環状折曲部
１１：段部                        １２：環状凹溝
１３：第１のＯリング              １４：斜面部
１５：水平状段部                  １６：垂直壁
１７：隔室                        １８：第２のＯリング
【図１】
0004083898.tif 000002
【図２】
0004083898.tif 000003
【図３】
0004083898.tif 000004